(57)【要約】【課題】エンジン設計の手間を省くことができ、かつ低騒音化を実現できるエンジンブロワを提供すること。  【解決手段】ボリュートケース３１に収容されたファンを有するブロワ３と、ファンを駆動するとともに、自己冷却用の冷却空気を生成するためのボリュート４３を有するエンジン４とを備え、このエンジン４の出力軸には、冷却空気生成用の冷却ファンが取り付けられることなしに前記ファンが取り付けられ、ボリュートケース３１には、前記ファンにて生成された圧送空気の一部をエンジン４側に送出する送出口が設けられている。【選択図】図１
2008038798.tif 000002
【特許請求の範囲】
【請求項１】
ボリュートケースに収容されたファンを有するブロワと、
前記ファンを駆動するとともに、自己冷却用の冷却空気を生成するためのボリュートを有するエンジンとを備え、
このエンジンの出力軸には、前記冷却空気生成用の冷却ファンが取り付けられることなしに前記ファンが取り付けられ、
前記ボリュートケースには、前記ファンにて生成された圧送空気の一部を前記エンジン側に送出する送出口が設けられている
ことを特徴とするエンジンブロワ。
【請求項２】
請求項１に記載のエンジンブロワにおいて、
前記エンジンのシリンダと前記ボリュートケースとの間にはマグネト用のコイルが配置され、
前記ボリュートケースの前記コイルに対応した位置からずれた位置に前記送出口が設けられている
ことを特徴とするエンジンブロワ。
【請求項３】
請求項１または請求項２に記載のエンジンブロワにおいて、
前記ボリュートが前記エンジンのクランクケースに一体に形成されているとともに、
前記クランクケースには自己冷却用の冷却空気を引き込むための引込口が設けられ、
かつこの引込口が閉塞カバーで塞がれている
ことを特徴とするエンジンブロワ。
【発明の詳細な説明】
【技術分野】
【０００１】
本発明は、エンジンブロワに係り、特に、汎用エンジンが搭載されたエンジンブロワに関する。
【背景技術】
【０００２】
従来、落ち葉や剪定された枝葉を吹き集めるエンジンブロワが知られている。このようなエンジンブロワでは、ボリュートケース内に収容されたファンが空冷式のエンジンによって回転駆動される。エンジン冷却用の冷却空気としては、ファンによって生成された圧送空気の一部が用いられる。すなわち、ボリュートケースには送出口が設けられ、この送出口から圧送空気の一部が冷却空気としてエンジン側に送られるのである（例えば、特許文献１）。
【０００３】
【特許文献１】特許第３７７８２６９号公報
【発明の開示】
【発明が解決しようとする課題】
【０００４】
ところで、そのような空冷式エンジンは、エンジンブロワ専用に設計される場合が多い。そこで、汎用的に用いられているエンジンをエンジンブロワに搭載し、エンジン設計の手間を省くことが望まれている。
【０００５】
しかしながら、汎用エンジンの出力軸には通常、自己冷却用の冷却ファンがクランクケースのボリュート内に収容された状態で取り付けられており、このクランクケースには冷却空気引込用の引込口が存在する。このため、汎用エンジンを単にエンジンブロワに用いたのでは、冷却ファンの回転音がその引込口から外部に洩れてしまい、低騒音化が阻害されるという問題がある。
【０００６】
本発明の目的は、エンジン設計の手間を省くことができ、かつ低騒音化を実現できるエンジンブロワを提供することにある。
【課題を解決するための手段】
【０００７】
本発明の請求項１に係るエンジンブロワは、ボリュートケースに収容されたファンを有するブロワと、前記ファンを駆動するとともに、自己冷却用の冷却空気を生成するためのボリュートを有するエンジンとを備え、このエンジンの出力軸には、前記冷却空気生成用の冷却ファンが取り付けられることなしに前記ファンが取り付けられ、前記ボリュートケースには、前記ファンにて生成された圧送空気の一部を前記エンジン側に送出する送出口が設けられていることを特徴とする。
ここで、「自己冷却用の冷却空気を生成する」とあるのは、エンジンの出力軸に仮に冷却ファンが取り付けられている場合のことである。
【０００８】
本発明の請求項２に係るエンジンブロワは、請求項１に記載のエンジンブロワにおいて、前記エンジンのシリンダと前記ボリュートケースとの間にはマグネト用のコイルが配置され、前記ボリュートケースの前記コイルに対応した位置からずれた位置に前記送出口が設けられていることを特徴とする。
【０００９】
本発明の請求項３に係るエンジンブロワは、請求項１または請求項２に記載のエンジンブロワにおいて、前記ボリュートが前記エンジンのクランクケースに一体に形成されているとともに、前記クランクケースには自己冷却用の冷却空気を引き込むための引込口が設けられ、かつこの引込口が閉塞カバーで塞がれていることを特徴とする。
ここで、「自己冷却用の冷却空気を引き込む」とあるのも、エンジンの出力軸に仮に冷却ファンが取り付けられている場合のことである。
【発明の効果】
【００１０】
以上において、請求項１の発明によれば、エンジンブロワに搭載されるエンジンとして、自己冷却用の冷却空気を生成するためボリュートを有した汎用のエンジンを流用するので、専用のエンジンを新規に設計する必要がなく、エンジン設計の手間を省くことができる。また、汎用エンジンとして用いられる仕様では冷却ファンが取り付けられるが、本発明のエンジンブロワでは、そのような冷却ファンが省かれるので、冷却ファンの回転音が発生せず、低騒音化を確実に実現できる。以上により、本発明の前述した目的を達成できる。なお、圧送空気の一部がボリュートケースの送出口から冷却空気として送出され、この冷却空気によってエンジンが冷却されることになる。
【００１１】
汎用エンジンの出力軸には通常、自己冷却用の冷却ファンが取り付けられており、この冷却ファンにはマグネト用の磁石が埋設されている。冷却ファンが省かれる本発明では、冷却ファンの代わりに例えば円盤状のロータが設けられ、このロータに磁石が埋設される。一方、磁石の通過によって起電力を生じさせるためのコイルは、エンジンのクランクケースにボリュートが形成されていることから、このボリュートの上方で、丁度シリンダに対応した位置に配置されることになる。この場合、コイルの配置が送出口からの冷却空気を阻害し、冷却空気がシリンダに良好に当たらない可能性がある。
【００１２】
そこで、請求項２に係る発明では、このコイルに邪魔されない位置に送出口を設けることを特徴としている。このことにより、送出口からの冷却空気を確実にシリンダに当てることができ、エンジンをより効果的に冷却できる。
【００１３】
また、通常の汎用エンジンではもともと、クランクケースに引込口が設けられるのであるが、請求項３に係る発明では、このような引込口を閉塞カバーで覆うので、引込口から洩れ出そうとする音を確実に遮断でき、より一層の低騒音化を実現できる。
【発明を実施するための最良の形態】
【００１４】
以下、本発明の一実施形態を図面に基づいて説明する。
図１は、本実施形態に係るエンジンブロワ１を一部分解して示す斜視図。図２は、エンジンブロワ１を斜め下方から見た斜視図。図３は、エンジンブロワ１を示す縦断面図。図４は、エンジンブロワ１の要部部分での平断面図。
【００１５】
図１、図２において、エンジンブロワ１は、水平な載置部２Ａおよび鉛直な背当て部２Ｂを有した合成樹脂製のＬ字状のフレーム２を備えており、このフレーム２の載置部２Ａ上には、ゴムマウント３Ａを介してブロワ３が左右２箇所で支持されている。また、ブロワ３は、帯状の連結部材３Ｂおよびコイルばね３Ｃ（共に図３参照）を介して背当て部２Ｂにも連結されている。
【００１６】
載置部２Ａ上には、図示略の燃料タンクが載置されており、燃料タンクからの燃料がブロワ３のボリュートケース３１正面に取り付けられた空冷式のエンジン４に供給される。このエンジン４により、ボリュートケース３１内に収容されたファン３２（図３、図４参照）が回転駆動される。ファン３２の回転によって発生した圧送空気は、ボリュートケース３１に接続される風管先端の噴き出し口から噴出される。
【００１７】
エンジン４は、リコイルスタータ６によるクランキング操作で始動するように構成されており、燃料タンクからの燃料と吸入される吸気とにより混合気を生成するキャブレタ７、およびエンジン音を消音しながら排ガスを排出するマフラー８（図２参照）を備えている。そして、このようなエンジン４は通常、ボリュートケース３１にねじ止めされるエンジンカバーで覆われるが、本実施形態では、エンジンカバーの図示を省略してある。
【００１８】
また、本実施形態でのエンジン４は、刈払機等の他の携帯用作業機にも使用される汎用エンジンであり、汎用的な仕様から自己冷却用の冷却ファンを取り除いた状態で用いられている。このことにより、エンジンブロワ１専用のエンジン設計を省くことができ、エンジン設計の簡略化が図られている。
【００１９】
従って、エンジン４の出力軸（クランク軸）の一端には、前述のリコイルスタータ６が設けられているが、他端には冷却ファンが設けられていない。ただし、出力軸の他端には、図３に示すように、冷却ファンの代わりにロータ４１が設けられている。このロータ４１の外側にはファン３２が取り付けられ、ロータ４１自身にはマグネト用の磁石４１Ａが埋設されている。
【００２０】
そして、エンジン４が汎用エンジンであることにより前記ロータ４１は、クランクケース４２に一体に設けられたボリュート４３内に収容配置されている。このようなボリュート４３は本来、エンジン４に冷却ファンが取り付けられている時に機能する部位であり、クランクケース４２の引込口４４から引き込まれた冷却空気をシリンダ４５側に圧送するために設けられている。
【００２１】
つまり、汎用エンジンをそのまま流用している本実施形態では、エンジン４のクランクケース４２には依然として、ボリュート４３が形成されているのであり、ボリュート４３の上方には、シリンダ４５とボリュートケース３１との間に介装されるようにして、マグネト用のコイル４６が配置されている。このようなコイル４６の配置位置も、汎用的な仕様に基づくものである。
【００２２】
さらに、冷却ファンが用いられていないエンジン４では、クランクケース４２の引込口４４が金属製の閉塞カバー４７（図１，図２参照）で塞がれるようになっている。このため、クランクケース４２には、閉塞カバー４７をねじ止めするための一対の取付部４２Ａが設けられている。
【００２３】
加えて、本実施形態では、エンジン４に冷却ファンが設けられていないことにより、ブロワ３で生じる圧送空気の一部をエンジン４の冷却空気として用いる構造が採用されている。この構造により、引込口４４からは冷却ファンの回転音が洩れ出すことがなく、低騒音化を確実に促進できるとともに、エンジン４を良好に冷却できる。しかも、前述のように、引込口４４自身が閉塞カバー４７で塞がれるため、ロータ４１の回転音すら洩れ出す心配がなく、より一層の低騒音化を実現できる。以下には、エンジン４の冷却構造について詳説する。
【００２４】
図４に示すボリュートケース３１において、マグネト用のコイル４６に対して図中右側にずれた位置（エンジン４側からの正面視において、ファン３２の回転中心から斜め左上方に大きくずれた位置）には、ボリュートケース３１内の圧送空気の一部を冷却空気としてエンジン４側に送出する送出口３３が設けられている。コイル４６がシリンダ４５とボリュートケース３１との間に配置されていることで、コイル４６を避けるようにして冷却空気をシリンダ４５に当たるようにする必要があり、このために、送出口３３がコイル４６からずれた位置に設けられているのである。
【００２５】
また、送出口３３周りには、平面四角形とされたシリンダ４５の角部に冷却空気を案内する案内部３４が設けられている。この案内部３４により、コイル４６を避けたシリンダ４５の角部から、冷却空気をシリンダ４５周りの全体に流通させることができ、シリンダ４５を効果的に冷却することが可能である。
【００２６】
特に、案内部３４の一部には、シリンダ４５の左側部にまで延出した延出片３５が設けられており、送出口３３から送出した直後の冷却空気が外部に流れ出るのを防止し、冷却空気を無駄なく利用できるようになっている。なお、この図４においても、キャブレタ７、マフラー８、エンジンカバーの図示が省略されている。冷却空気は実際には、エンジンカバー内でシリンダ４５を冷却した後、エンジンカバーに設けられた多数の排出用スリットを通して外部に排出される。
【００２７】
なお、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、数量、その他の詳細な構成において、当業者が様々な変形を加えることができるものである。
従って、上記に開示した形状、数量などを限定した記載は、本発明の理解を容易にするために例示的に記載したものであり、本発明を限定するものではないから、それらの形状、数量などの限定の一部もしくは全部の限定を外した部材の名称での記載は、本発明に含まれるものである。
【００２８】
例えば、前記実施形態では、引込口４４を塞ぐ閉塞カバー４７がクランクケース４２に取り付けられるようになっていたが、このような閉塞カバー４７をボリュートケース３１に取り付けてもよい。
【００２９】
また、本発明では、エンジン４に自己冷却用の冷却ファンが設けられておらず、このことによって騒音が十分に低減されているので、閉塞カバー４７は必要に応じて設けられればよく、省略可能である。ただし、閉塞カバー４７を設ける方が、ロータ４１の回転音すら洩れ出すのを防止でき、より低騒音化を促進できるので望ましい。また、そのような閉塞カバー４７を設けることで、送出口３３からの冷却空気が下方の引込口４４側にまわって排出されるのを防止できるから、冷却空気にて上方のシリンダ４５を一層効果的に冷却できるという効果もある。
【産業上の利用可能性】
【００３０】
本発明は、汎用エンジンを用いたエンジンブロワに利用できる。
【図面の簡単な説明】
【００３１】
【図１】本発明の一実施形態に係るエンジンブロワを一部分解して示す斜視図。
【図２】エンジンブロワを斜め下方から見た斜視図。
【図３】エンジンブロワを示す縦断面図。
【図４】エンジンブロワの要部部分での平断面図。
【符号の説明】
【００３２】
１…エンジンブロワ、３…ブロワ、４…エンジン、３１…ボリュートケース、３２…ファン、３３…送出口、４２…クランクケース、４３…ボリュート、４４…引込口、４６…コイル、４７…閉塞カバー。
【図１】
2008038798.tif 000003
【図２】
2008038798.tif 000004
【図３】
2008038798.tif 000005
【図４】
2008038798.tif 000006